(57)【要約】【課題】高温時における配管からのガス漏れを抑制可能なガス配管システムを提供すること。【解決手段】ガス配管システム１０は、ガスの流量を計測するガスメータ１６と、ガスメータ１６に設けられガスの供給を遮断する遮断弁１６Ａと、ガスメータ１６を経由して流入したガスを複数に分岐するヘッダー２０と、ヘッダー２０とガスコンロ２２を接続するガス配管２６、ヘッダー２２とガス給湯器２４とを接続するガス配管２８、ヘッダー２０に設けられてガス配管２６へのガス供給を停止可能な遮断弁３０、及びガス配管２８へのガス供給を停止可能な遮断弁３２と、ガス配管２６の設置環境温度を測定する第１温度センサ３６と、ガス配管２８の設置環境温度を測定する第２温度センサ３８と、設置環境温度が設定温度を超えた場合に、遮断弁１６Ａ、及びヘッダー２０の遮断弁３０，３２を作動させてガスの供給を停止する制御装置３４とを有する。【選択図】図１
2018128222.tif 000002
【特許請求の範囲】
【請求項１】
ガス供給源からガス機器に供給するガスの流量を計測するガスメータと、
前記ガスメータのガス排出方向下流側に設けられ、前記ガスメータを経由して流入した前記ガスを複数に分岐して排出するヘッダーと、
前記ヘッダーと前記ガス機器とを接続する複数の配管と、
前記ヘッダーに設けられ、前記配管に対して前記ガスの供給を停止可能な遮断装置と、
少なくとも前記配管の設置されている環境の温度を測定するための温度センサと、
前記温度センサで測定された前記環境の温度が、予め設定した設定温度を超えた場合に、前記遮断装置を作動させて前記ガスの供給を停止する制御装置と、
を有するガス配管システム。
【請求項２】
前記ガスメータには、前記ガスの供給を遮断するガス供給元遮断装置が設けられており、前記制御装置は、前記温度センサで測定された前記環境の温度が、予め設定した設定温度を超えた場合に前記ガス供給元遮断装置を作動させて前記ガスの供給を停止する、請求項１に記載のガス配管システム。
【請求項３】
前記設定温度は、前記配管を構成する材料の耐熱温度よりも低く設定されている、請求項１または請求項２に記載のガス配管システム。
【請求項４】
前記設定温度は、前記ガスの発火温度よりも低く設定されている、請求項１または請求項２に記載のガス配管システム。
【請求項５】
前記制御装置には、火災警報器が接続されており、
前記制御装置は、前記火災警報器が作動したことを検知した際に、前記遮断装置を作動させて前記ガスの供給を停止する、請求項１〜請求項４の何れか１項に記載のガス配管システム。
【請求項６】
前記火災警報器は、警報を出して火災を知らしめる発信機を備えている、請求項５に記載のガス配管システム。
【請求項７】
前記制御装置には、ガス漏れ警報器が接続されており、
前記制御装置は、前記ガス漏れ警報器が作動したことを検知した際に、前記遮断装置を作動させて前記ガスの供給を停止する、請求項１〜請求項６の何れか１項に記載のガス配管システム。
【発明の詳細な説明】
【技術分野】
【０００１】
本発明は、ガス配管システム。
【背景技術】
【０００２】
住宅等の建築物において、都市ガスを用いる種々のガス器具が設置されている場合がある（特許文献１、２参照）。
【先行技術文献】
【特許文献】
【０００３】
【特許文献１】特開２００８−２０９０８８号公報
【特許文献２】特開２００８−１２８５８４号公報
【発明の概要】
【発明が解決しようとする課題】
【０００４】
特許文献１、２には、ガスメータのガス流路内に、異常時にガスを遮断する遮断弁とガス流量を計測する超音波センサが設けられ、流量値が異常に多い場合や、通常考えられる使用時間を超えて流量値が検出されるような場合に、異常と判断して遮断弁を作動させてガス流路を遮断するガス器具監視装置が開示されている。
【０００５】
従来のガス配管システムでは、ガスメータからガス機器までの間に、金属製の配管が用いられており、配管や継手等、それぞれの部位に耐火性を持たせていた。ところで、従来よりも耐火性の低い配管を用いた場合、配管が高温により不具合を生じてガス漏れを生じる懸念があり、配管の選択肢が限られている。
【０００６】
本発明は、上記事実を考慮して、従来の配管よりも耐火性の低い、言い換えれば耐熱性の低い配管を用いた場合でも、高温時における配管からのガス漏れを抑制可能なガス配管システムを提供することを目的とする。
【課題を解決するための手段】
【０００７】
請求項１に記載のガス配管システムは、ガス供給源からガス機器に供給するガスの流量を計測するガスメータと、前記ガスメータのガス排出方向下流側に設けられ、前記ガスメータを経由して流入した前記ガスを複数に分岐して排出するヘッダーと、前記ヘッダーと前記ガス機器とを接続する複数の配管と、前記ヘッダーに設けられ、前記配管に対して前記ガスの供給を停止可能な遮断装置と、少なくとも前記配管の設置されている環境の温度を測定するための温度センサと、前記温度センサで測定された前記環境の温度が、予め設定した設定温度を超えた場合に、前記遮断装置を作動させて前記ガスの供給を停止する制御装置と、
を有する。
【０００８】
例えば、配管の設置されている環境において、火災等の発生により、その環境の温度が高温になる場合がある。配管が高温に曝されると、配管の材料によっては配管に不具合を生じ、ガス漏れを生じる懸念がある。
請求項１に記載のガス配管システムでは、温度センサが配管の設置されている環境の温度を測定し、温度センサで測定された環境の温度が、予め設定した設定温度を超えた場合に、制御装置は、ヘッダーの遮断装置を作動させて配管に対してガスの供給を停止することができる。
このため、仮に配管に不具合が生じたとしても、配管からのガス漏れを抑制することができる。したがって、従来よりも耐火性の低い、言い換えれば耐熱性の低い配管を用いた場合でも、ガス漏れを抑制することができる。
【０００９】
請求項２に記載の発明は、請求項１に記載のガス配管システムにおいて、前記ガスメータには、前記ガスの供給を遮断するガス供給元遮断装置が設けられており、前記制御装置は、前記温度センサで測定された前記環境の温度が、予め設定した設定温度を超えた場合に前記ガス供給元遮断装置を作動させて前記ガスの供給を停止する。
【００１０】
請求項２に記載のガス配管システムでは、温度センサが配管の設置されている環境の温度を測定し、温度センサで測定された環境の温度が、予め設定した設定温度を超えた場合に、制御装置は、ガスメータのガス供給元遮断装置を作動させてヘッダーに対してガスの供給を停止することができる。
【００１１】
請求項３に記載の発明は、請求項１または請求項２に記載のガス配管システムにおいて、前記設定温度は、前記配管を構成する材料の耐熱温度よりも低く設定されている。
【００１２】
請求項３に記載のガス配管システムでは、遮断装置を作動させる際の設定温度を、配管を構成する材料の耐熱温度よりも低く設定しているので、配管が高温に曝されて不具合を生じる前に、確実にガスの供給を停止することができる。
【００１３】
請求項４に記載の発明は、請求項１または請求項２に記載のガス配管システムにおいて、前記設定温度は、前記ガスの発火温度よりも低く設定されている。
【００１４】
請求項４に記載のガス配管システムでは、設定温度が、ガスの発火温度よりも低く設定されているので、万が一、何らかの不具合により配管からガスが漏れていたとしても、ガスの発火を抑制することができる。
【００１５】
請求項５に記載の発明は、請求項１〜請求項４の何れか１項に記載のガス配管システムにおいて、前記制御装置には、火災警報器が接続されており、前記制御装置は、前記火災警報器が作動したことを検知した際に、前記遮断装置を作動させて前記ガスの供給を停止する。
【００１６】
請求項５に記載のガス配管システムでは、火災警報器が接続されており、制御装置が、火災警報器が作動したことを検知した際に、遮断装置を作動させてガスの供給を停止する。このため、配管の設置環境の温度が高温になる前にガスの供給を停止することができ、安全性を高めることができる。
【００１７】
請求項６に記載の発明は、請求項５に記載のガス配管システムにおいて、前記火災警報器は、警報を出して火災を知らしめる発信機を備えている。
【００１８】
火災警報器は、音、光等の警報を出して火災を知らしめることができる。制御装置は火災警報器が作動したことを検知して遮断装置を作動させてガスの供給を停止する。このため、配管の設置環境の温度が高温になる前にガスの供給を停止することができ、安全性を高めることができる。
【００１９】
請求項７に記載の発明は、請求項１〜請求項６の何れか１項に記載のガス配管システムにおいて、前記制御装置には、ガス漏れ警報器が接続されており、前記制御装置は、前記ガス漏れ警報器が作動したことを検知した際に、前記遮断装置を作動させて前記ガスの供給を停止する。
【００２０】
請求項７に記載のガス配管システムでは、ガス漏れ警報器で、ガス漏れを検知することができる。そして、制御装置は、前記ガス漏れ警報器が作動したことを検知した際に、遮断装置を作動させてガスの供給を停止する。このため、配管の設置環境の温度が高温になる前にガスの供給を停止することができ、安全性を高めることができる。
【発明の効果】
【００２１】
以上説明したように、本発明のガス配管システムによれば、従来の配管よりも耐火性の低い配管を用いた場合でも、高温時における配管からのガス漏れを抑制することができる、という優れた効果を有する。
【図面の簡単な説明】
【００２２】
【図１】本発明の第１の実施形態に係るガス配管システムが適用された住宅を示す概略構成図である。
【図２】第１の実施形態の制御系を示すブロック図である。
【図３】第１の実施形態の制御装置の制御を示すフローチャートである。
【図４】本発明の第２の実施形態に係るガス配管システムが適用された住宅を示す概略構成図である。
【図５】第２の実施形態の制御系を示すブロック図である。
【図６】第２の実施形態の制御装置の制御を示すフローチャートである。
【図７】他の実施形態に係るヘッダーの構成の概略を示す断面図である。
【発明を実施するための形態】
【００２３】
［第１の実施形態］
以下、本発明を実施するための形態を図１乃至図３にしたがって説明する。
図１に示すように、本実施形態のガス配管システム１０は、一例として住宅１２に適用されている。
【００２４】
住宅１２の屋外には、ガス供給源の一例である都市ガスのガス供給管１４が配置されている。本実施形態のガス供給管１４は、一般的に用いられる金属製の配管である。ガス供給管１４の端部は、屋外に設置されたガスメータ１６に接続されている。ガスメータ１６は、後述する制御装置３４からの制御信号によって作動してガスの供給を遮断可能なガス供給元遮断装置としての遮断弁１６Ａ、ガスの流量を計測して後述する制御装置３４へ流量測定データを出力する流量計１６Ｂ、及びガスの流量を表示する表示部１６Ｃ等を備えている。
【００２５】
ガスメータ１６には、屋内に向けて設置された第１のガス配管１８が接続されている。第１のガス配管１８は、一般的に用いられる金属製の配管である。第１のガス配管１８の端部は、屋内に設置されたヘッダー２０に接続されている。ヘッダー２０は、供給されたガスを複数に分岐するものである。ヘッダー２０は、一例として、住宅１２の床下１２Ａに設置されているが、場合によっては室内に設置されていてもよい。
【００２６】
住宅１２には、一例として、ガス機器としてのガスコンロ２２、及びガス給湯器２４が設置されている。
【００２７】
ヘッダー２０には、ガスコンロ２２と接続される第１ガス配管２６、及びガス給湯器２４に接続される第２ガス配管２８が接続されている。
【００２８】
図１及び図２に示すように、住宅１２には、制御装置３４が設けられている。ヘッダー２０の内部には、第１ガス配管２６へのガスの供給を遮断可能な遮断弁３０、及び第２ガス配管２８へのガスの供給を遮断可能な遮断弁３２が並列に設けられている。これら遮断弁３０、及び遮断弁３２は、制御装置３４からの制御信号によって作動し、ガス配管側へのガスの供給を遮断することができる。
【００２９】
ここで、第１ガス配管２６の近傍には、第１ガス配管２６の設置されている環境の温度計測する第１温度センサ３６が配置されている。なお、第１温度センサ３６は、第１ガス配管２６に取り付けられていてもよい。第１温度センサ３６は、第１ガス配管２６に沿って複数設けることができ、一例として、部屋１２Ｂと床下１２Ａに設置することができる。第１温度センサ３６は、制御装置３４に接続されており、計測した温度データを制御装置３４に出力する。
【００３０】
同様に、第２ガス配管２８の近傍には、第２ガス配管２８の設置されている環境の温度を計測する第２温度センサ３８が配置されている。なお、第２温度センサ３８は、第２ガス配管２８に取り付けられていてもよい。第２温度センサ３８は、第２ガス配管２８に沿って複数設けることができ、一例として、部屋１２Ｃと床下１２Ａに設置することができる。第２温度センサ３８は、制御装置３４に接続されており、計測した温度データを制御装置３４に出力する。
【００３１】
制御装置３４には、ガスメータ１６の遮断弁１６Ａが作動して閉状態になった場合、遮断弁３０が作動して閉状態になった場合、及び遮断弁３２が作動して閉状態になった場合に、各々の遮断弁が作動してガスの供給が停止していることを表す表示装置４０が接続されている。また、制御装置３４には、各々の遮断弁を閉状態から開状態へ復帰させる復帰ボタン４２が接続されている。
【００３２】
（作用）
次に、本実施形態のガス配管システム１０の作用を以下に説明する。
例えば、住宅１２に火災が発生したと想定すると、これに伴って住宅内の温度が上昇し、第１ガス配管２６、及び第２ガス配管２８の設置されている設置環境の温度も上昇する。
図３には、制御装置３４は、第１温度センサ３６、及び第２温度センサ３８から出力された温度計測データを受信して行う制御を示すフローチャートが示されている。
【００３３】
先ず、ステップ１００では、第１ガス配管２６の設置されている環境の温度Ｔ１を第１温度センサ３６で測定すると共に、第２ガス配管２８の設置されている環境の温度Ｔ２を第２温度センサ３８で測定する。なお、制御装置３４は、環境の温度Ｔ１，Ｔ２を常時計測している。
【００３４】
次のステップ１０２では、第１温度センサ３６で計測した環境の温度Ｔ１が、制御装置３４に予め設定した警告温度（Ｔmax℃）を超えたか否かを判断する。ここで、制御装置３４が、測定した環境の温度Ｔ１が予め設定した警告温度（Ｔmax℃）を超えていないと判断した場合にはステップ１０４に進み、測定した環境の温度Ｔ１が予め設定した警告温度（Ｔmax℃）を超えたと判断した場合にはステップ１０６に進む。
【００３５】
ステップ１０６では、遮断弁３０を閉状態とし、第１ガス配管２６へのガスの供給を遮断する。これにより、第１ガス配管２６の設置されている環境の温度Ｔ１が高温になった場合における、第１ガス配管２６からのガス漏れを抑制することができる。遮断弁３０が閉状態となった後、ステップ１１０に進む。なお、ステップ１０６が終了した後、ステップ１０４に進んでもよい。
【００３６】
最後のステップ１１０では、表示装置４０に、遮断弁３０が閉状態となったことを表示する。
【００３７】
一方、ステップ１０４では、第２温度センサ３８で計測した環境の温度Ｔ２が、制御装置３４に予め設定した警告温度（Ｔmax℃）を超えたか否かを判断する。ここで、制御装置３４が、測定した環境の温度Ｔ２が予め設定した警告温度（Ｔmax℃）を超えていないと判断した場合にはステップ１０２に戻り、測定した環境の温度Ｔ２が予め設定した警告温度（Ｔmax℃）を超えたと判断した場合にはステップ１０８に進む。
【００３８】
ステップ１０８では、遮断弁３２を閉状態とし、第２ガス配管２８へのガスの供給を遮断する。これにより、第２ガス配管２８の設置されている環境の温度Ｔ２が高温になった場合における、第２ガス配管２８からのガス漏れを抑制することができる。遮断弁３２が閉状態となった後、ステップ１１０に進む。
【００３９】
最後のステップ１１０では、表示装置４０に、遮断弁３２が閉状態となったことを表示する。
【００４０】
このように、本実施形態のガス配管システム１０では、第１ガス配管２６の設置されている環境の温度、及び第２ガス配管２８の設置されている環境の温度を測定することで、例えば、これら第１ガス配管２６、及び第２ガス配管２８が高温に曝されて劣化（一例として溶融する、分解する等）してガス漏れを生じる前に、ガスの供給を遮断することができる。
【００４１】
本実施形態のガス配管システム１０では、金属配管に比較して耐火性、言い換えれば耐熱性が低い材料からなるガス配管を用いた場合でも、高温時のガス漏れを抑制することができる。
【００４２】
本実施形態のガス配管システム１０では、第１温度センサ３６で計測した環境の温度が、警告温度（Ｔmax℃）を超えた場合に遮断弁３０を閉状態とし、第２温度センサ３８で計測した環境の温度が、警告温度（Ｔmax℃）を超えた場合に遮断弁３２を閉状態としたが、ガスメータ１６の遮断弁１６Ａを同時に閉状態とし、ヘッダー２０よりも上流側でガスの供給を遮断してもよい。これにより、ガスメータ１６よりも下流側でのガス漏れを抑制することができる。
【００４３】
なお、警告温度（Ｔmax℃）は、制御装置３４において任意に設定できる。警告温度（Ｔmax℃）は、一例として、第１ガス配管２６、及び第２ガス配管２８を構成している材料の耐熱温度（一例として、融点）よりも低く設定することができる。これにより、第１ガス配管２６、及び第２ガス配管２８が高温に曝されて不具合を生じる前に、確実にガスの供給を停止することができる。また、警告温度（Ｔmax℃）は、ガスの発火温度よりも低く設定することができる。
【００４４】
［第２の実施形態］
次に、本発明の第２の実施形態に係るガス配管システム１０を図４乃至図６にしたがって説明する。なお、第１の実施形態と同一構成には同一符号を付し、その説明は省略する。
【００４５】
図４、及び図５に示すように、本実施形態のガス配管システム１０では、ガスコンロ２２の近傍に第１のガス漏れ警報器４４が設置され、ガス給湯器２４の近傍に、第２のガス漏れ警報器４６が設置されている。第１のガス漏れ警報器４４、及び第２のガス漏れ警報器４６は、制御装置３４に接続されており、ガス漏れを検知すると制御装置３４にガス漏れを検知した信号を出力するようになっている。
【００４６】
部屋１２Ｂの天井には火災警報器４８が取り付けられており、部屋１２Ｃの天井には火災警報器５０が取り付けられている。火災警報器４８，５０は、煙を感知する煙感知式のものであってもよく、火炎を検知する熱感知式のものであってもよく、その他の形式のものであってもよい。火災警報器４８，５０は、制御装置３４に接続されており、火炎（または煙）を検知すると、制御装置３４に火炎（または煙）を検知した信号を出力するようになっている。
【００４７】
また、住宅１２の室内には、ボタンを押すことで、警報ブザーを鳴らしたり警報ランプを点灯させる発信機５２が設けられている。発信機５２は制御装置３４に接続されており、ボタンを押すことで、制御装置３４に警報信号を出力するようになっている。また、発信機５２のボタンが押されると、ベル、ブザー、赤ランプ（図示省略）等で警報が発せられる。
【００４８】
本実施形態のガス配管システム１０では、ガスコンロ２２の近傍に第１のガス漏れ警報器４４が設置され、ガス給湯器２４の近傍に、第２のガス漏れ警報器４６が設置されているので、第１のガス漏れ警報器４４、及び第２のガス漏れ警報器４６の少なくとも一方がガス漏れを検知すると、制御装置３４が遮断弁３０、及び遮断弁３２を閉状態とし、第１ガス配管２６、及び第２ガス配管２８へのガスの供給を遮断する。
【００４９】
また、本実施形態のガス配管システム１０では、火災警報器４８，５０が住宅１２の火災の発生を検知すると、制御装置３４が遮断弁３０、及び遮断弁３２を閉状態とし、第１ガス配管２６、及び第２ガス配管２８へのガスの供給を遮断することができる。
【００５０】
また、本実施形態のガス配管システム１０では、発信機５２のボタンが押されると、制御装置３４が遮断弁３０、及び遮断弁３２を閉状態とし、第１ガス配管２６、及び第２ガス配管２８へのガスの供給を遮断することができる。
【００５１】
このように、本実施形態のガス配管システム１０では、第１温度センサ３６、及び第２温度センサ３８の他に、第１のガス漏れ警報器４４、第２のガス漏れ警報器４６、火災警報器４８，５０、及び発信機５２を備えているので、万が一、第１温度センサ３６、及び第２温度センサ３８が故障していても、住宅１２の異常時に、第１ガス配管２６、及び第２ガス配管２８へのガスの供給を遮断することができ、また、第１ガス配管２６、及び第２ガス配管２８の設置環境の高温を検知する前においても、事前に第１ガス配管２６、及び第２ガス配管２８へのガスの供給を遮断することができる。これにより、安全性を更に高めることができる。
【００５２】
なお、ガス漏れ警報器は、住宅１２の床下１２Ａに設置してもよい。これにより、床下１２Ａのガス配管系統の不具合（接続部の緩み、配管の外れ等）によるガス漏れを検知することができる。
【００５３】
図６に示すフローチャートは、本実施形態のガス配管システム１０の制御の一例を示している。
先ず、ステップ２００では、第１ガス配管２６の設置されている環境の温度Ｔ１を第１温度センサ３６で測定すると共に、第２ガス配管２８の設置されている環境の温度Ｔ２を第２温度センサ３８で測定する。
【００５４】
次のステップ２０２では、第１のガス漏れ警報器４４、及び第２のガス漏れ警報器４６がガス漏れを検知したか否かを判断する。ガス漏れが検知された場合にはステップ２１２へ進み、遮断弁３０、及び遮断弁３２を閉状態としてガスの供給を遮断する。一方、ステップ２０２でガス漏れを検知しない場合にはステップ２０４へ進む。
【００５５】
ステップ２０４では、火災警報器４８、及び火災警報器５０の少なくとも一方が作動したか否かを判断する。火災警報器４８、及び火災警報器５０の少なくとも一方が作動した場合には、ステップ２１２へ進み、遮断弁３０、及び遮断弁３２を閉状態としてガスの供給を遮断する。一方、火災警報器４８、及び火災警報器５０が作動していない場合には、ステップ２０６へ進む。
【００５６】
ステップ２０６では、発信機５２のボタンが押されたか否かが判断する。発信機５２のボタンが押された場合には、ステップ２１２へ進み、遮断弁３０、及び遮断弁３２を閉状態としてガスの供給を遮断する。一方、発信機５２のボタンが押されていない場合には、ステップ２０８へ進む。
【００５７】
ステップ２０８では、第１温度センサ３６で計測した環境の温度Ｔ１が、制御装置３４に予め設定した警告温度（Ｔmax℃）を超えたか否かを判断する。ここで、制御装置３４が、測定した環境の温度Ｔ１が予め設定した警告温度（Ｔmax℃）を超えていないと判断した場合にはステップ２１０に進み、測定した環境の温度Ｔ１が予め設定した警告温度（Ｔmax℃）を超えたと判断した場合にはステップ２１２に進んで遮断弁３０、及び遮断弁３２を閉状態とし、ガスの供給を遮断する。
【００５８】
ステップ２１０では、第２温度センサ３８で計測した環境の温度Ｔ２が、制御装置３４に予め設定した警告温度（Ｔmax℃）を超えたか否かを判断する。ここで、制御装置３４が、測定した環境の温度Ｔ２が予め設定した警告温度（Ｔmax℃）を超えていないと判断した場合にはステップ２０２に戻り、測定した環境の温度Ｔ２が予め設定した警告温度（Ｔmax℃）を超えたと判断した場合にはステップ２１２に進んで遮断弁３０、及び遮断弁３２を閉状態とし、ガスの供給を遮断する。
【００５９】
最後のステップ１１０では、表示装置４０に、遮断弁３２が閉状態となったことを表示する。
【００６０】
このように、本実施形態のガス配管システム１０では、第１のガス漏れ警報器４４、第２のガス漏れ警報器４６、火災警報器４８、火災警報器５０、発信機５２が設置されているので、第１ガス配管２６の設置されている環境の温度、及び第２ガス配管２８の設置されている環境の温度が高温となる前に、ガスの供給を遮断することができる。
【００６１】
（その他の実施形態）
以上、本発明の一例について説明したが、本発明は、上記に限定されるものでなく、上記以外にも、その主旨を逸脱しない範囲内において種々変形して実施可能であることは勿論である。
【００６２】
なお、上記実施形態では、ガスとして都市ガスを用いた例を示したが、プロパンガス等、他の可燃性ガスを用いることもできる。
【００６３】
上記実施形態では、ヘッダー２０に、ガス機器としてガスコンロ２２、ガス給湯器２４を接続した例を示したが、本発明はこれに限らず、ガスストーブ、ガスファンヒーター、ガス乾燥機、ガスオーブン、ガス発電装置等の他のガス機器を接続することもできる。
【００６４】
上記実施形態のヘッダー２０には、第１ガス配管２６へのガスの供給を遮断可能な遮断弁３０、及び第２ガス配管２８へのガスの供給を遮断可能な遮断弁３２の２つの遮断弁が設けられていたが、例えば、図７に示すように、ガスを分岐部分２０Ａの上流側に、制御装置３４に接続される遮断弁３３を設け、第１ガス配管２６、及び第２ガス配管２８へのガスの供給を同時に遮断するように構成してもよい。
【００６５】
また、制御装置３４に通信装置を接続し、遮断弁３０、及び遮断弁３２が閉状態となったことを、インターネット回線、電話回線等の通信回線（有線、無線）を通じて、制御装置３４に予め登録しておいたスマートフォン、携帯電話、パソコン等に通報してもよい。
【符号の説明】
【００６６】
１０    ガス配管システム
１４    ガス供給管（ガス供給源）
１６    ガスメーター
１６Ａ  遮断弁（ガス供給元遮断装置）
２０    ヘッダー
２２    ガスコンロ（ガス機器）
２４    ガス給湯器（ガス機器）
２６    第１ガス配管（配管）
２８    第２ガス配管（配管）
３６    第１温度センサ（温度センサ）
３８    第２温度センサ（温度センサ）
３０    遮断弁（遮断装置）
３２    遮断弁（遮断装置）
３３    遮断弁（遮断装置）
４２    発信機（火災警報器）
４４    第１ガス漏れ警報器
４６    第２ガス漏れ警報器
４８    火災警報器
【図１】
2018128222.tif 000003
【図２】
2018128222.tif 000004
【図３】
2018128222.tif 000005
【図４】
2018128222.tif 000006
【図５】
2018128222.tif 000007
【図６】
2018128222.tif 000008
【図７】
2018128222.tif 000009